(57)【要約】【課題】小型化の要求に応えると共に簡単に製作可能な突出度が小さいままのストッパー受部とし、たとえ繰り返し使用してもまた必要な回動クリアランスを有していても、乗り上がりやなめ上がろうとすることを確実に防止して回動軸部が傾いたりすることなく、またスムーズな回動が常に維持でき、量産性に優れ耐久性にも優れる画期的なヒンジ装置を提供すること。【解決手段】ストッパー部８のストッパー先端部10の突き当て先端面11が突き当たる奥底部12と、前記ストッパー先端部10の突き当て先端面11と異なる面であって回動方向に平行な外面を覆う覆い部13とを有する受合部14を形成してストッパー受部９を構成し、回動軸部５の過回動と傾動とを規制する回動ストッパー機構を有するヒンジ装置。【選択図】図６
2011075019.tif 000002
【特許請求の範囲】
【請求項１】
第一部材と第二部材とを枢着して第一部材に対して第二部材を相対回動させるヒンジ装置であって、前記第一部材に連結する第一連結部若しくは前記第二部材に連結する第二連結部に回動軸部を設け、この回動軸部が回動自在に挿通する軸受孔を設けた軸受部を前記第二連結部若しくは前記第一連結部に設け、前記回動軸部若しくは前記回動軸部と共回り状態に、ストッパー部又はストッパー部が突き当たって過回動を規制するストッパー受部を設け、前記軸受孔を設けた前記軸受部若しくは前記軸受部と共回り状態に、前記ストッパー受部又は前記ストッパー部を設けて、前記軸受部の軸受孔に対して前記回動軸部が相対回動する際、前記ストッパー部が前記ストッパー受部に突き当たって過回動を規制する回動ストッパー機構を備えたヒンジ装置において、前記ストッパー部の突き当て面が突き当たる受面部と、前記突き当て面と異なる面であって回動方向に沿うストッパー部の外面を覆う覆い部とを有して、前記回動軸部の傾動若しくは軸方向への過動をも規制するように前記ストッパー受部を構成したことを特徴とするヒンジ装置。
【請求項２】
前記ストッパー部のストッパー先端部の突き当て先端面を前記突き当て面とし、この突き当て先端面が突き当たる奥底部を前記受面部とし、前記ストッパー先端部の前記突き当て先端面と異なる面であって回動方向に沿うストッパー先端部の外面を覆う前記覆い部を前記奥底部に連設状態に設けて、前記回動軸部の過回動及び傾動を規制する受合部に前記ストッパー受部を構成したことを特徴とする請求項１記載のヒンジ装置。
【請求項３】
前記回動軸部若しくは前記回動軸部と共回り状態に前記ストッパー部を突設し、少なくともこのストッパー部の前記突き当て面を先端面に設けた前記ストッパー先端部、若しくは前記突き当て面と異なる面であって回動方向に沿う外面を有する突出部が挿入され、前記ストッパー先端部若しくは前記突出部の回動方向に沿う外面を覆う前記覆い部と前記突き当て面が突き当たる前記受面部とを有する前記ストッパー受部を、前記軸受部若しくは前記軸受部と共回り状態に設けたことを特徴とする請求項１，２のいずれか１項に記載のヒンジ装置。
【請求項４】
前記ストッパー部の前記ストッパー先端部は、前記回動方向を面方向とする回動方向面部に接触若しくは非接触状態で沿う片側面と、前記突き当て先端面と、この突き当て先端面を介して前記片側面と対向する反対側面とを有する形状とし、前記ストッパー受部は、少なくとも前記突き当て先端面が突き当たる前記奥底部と前記反対側面を覆う前記覆い部とを有する前記受合部に形成して、この覆い部と前記回動方向面部とで前記回動軸部の傾動を規制しつつ前記奥底部で過回動を規制するように前記ストッパー受部を構成したことを特徴とする請求項２記載のヒンジ装置。
【請求項５】
前記軸受部を前記軸受孔を設けたベース板部で構成し、このベース板部の板面を前記回動方向面部とし、このベース板部に対して立ち上がる立直部を設けて前記奥底部を設け、この奥底部に前記回動方向面部に対設して前記ストッパー部のストッパー先端部の挿入間隙を形成する前記覆い部を設けて、前記ベース板部に前記ストッパー受部としての前記受合部を設けたことを特徴とする請求項４記載のヒンジ装置。
【請求項６】
前記回動軸部若しくは前記回動軸部と共回り状態にして外周突出状態に前記ストッパー部を設け、このストッパー部の回動方向端部である前記ストッパー先端部の前記片側面が、前記軸受部の前記ベース板部の板面に設けた前記回動方向面部に沿って接触若しくは非接触状態で回動するように構成すると共に、このストッパー先端部の突き当て先端面が突き当たる奥底部と、このストッパー先端部の前記片側面と対向する反対側面を覆う覆い部とから成る受合部を前記ストッパー受部として前記ベース板部に設けたことを特徴とする請求項４，５のいずれか１項に記載のヒンジ装置。
【請求項７】
正逆双方の回動方向に対して過回動を阻止する前記ストッパー受部を対設したことを特徴とする請求項１〜６のいずれか１項に記載のヒンジ装置。
【請求項８】
前記一箇所に設けたストッパー部の回動方向の両端部に前記ストッパー先端部を設け、この左右のストッパー先端部が挿入する前記受合部を対設して前記ストッパー受部を対設したことを特徴とする請求項７記載のヒンジ装置。
【請求項９】
前記回動軸部にスライド自在にカム部若しくはカム部に凹凸係合するカム係合部を設け、前記軸受部に前記カム係合部若しくは前記カム部を設け、前記回動軸部にこの凹凸係合を係合付勢する凹凸係合付勢部を設けてこのカム部とカム係合部との凹凸係合により所定回動位置を保持する回動保持機構を備え、前記軸受部の前記軸受孔を設けた前記ベース板部の前記ストッパー受部若しくは前記ストッパー部を設けた面と反対側面に凹凸部を設けて、前記カム係合部若しくはカム部を前記ベース板部に一体形成したことを特徴とする請求項１〜８のいずれか１項に記載のヒンジ装置。
【請求項１０】
操作部を設けた本体部に対して、ディスプレイ部を設けた回動部を回動させて回動部の向きを変更させることができるように、前記本体部と前記回動部とを回動自在に連結するヒンジ装置を有し、このヒンジ装置には、前記本体部を前記第一部材若しくは前記第二部材とし、前記回動部を前記第二部材若しくは前記第一部材とした前記請求項１〜９のいずれか１項に記載のヒンジ装置を用いたことを特徴とするヒンジ装置を用いた電子機器。
【発明の詳細な説明】
【技術分野】
【０００１】
本発明は、第一部材，第二部材のいずれか一方を回動（例えば回動して向きを調整したり表裏反転）できるヒンジ装置並びにこのヒンジ装置を用いたパソコン，携帯電話，ハンディカメラなどの電子機器に関するものである。
【背景技術】
【０００２】
例えば、パソコンや携帯電話やハンディカメラなどの電子機器においては、ヒンジ連結する一方（第一部材）を入力操作部を有する本体部とし、他方（第二部材）をディスプレイ部を有する開閉重合部あるいは回動ディスプレイ部などの回動部として表裏反転や表示向きを変更できるように回動自在に連結し（例えば起伏開閉回動自在及び自転回動自在に連結し）、例えばこの自転回動位置（反転開始位置と反転完了位置など）で凹凸係合（凹凸係合途中を含む）により係合クリック保持するが、配線に支障を来たさないように更なる過回動を阻止すべく、あるいは所定回動位置で回動を正確に規制して例えば凹凸係合途中位置で回動を阻止してバネ付勢と吸い込み力とによる係合付勢状態で凹凸係合させて回動位置が係合クリック保持されるように、回動ストッパー機構を設ける必要がある。しかし、従来様々な回動ストッパー機構が提案されているが、いずれも構造が複雑であり、部品点数が増大し、コスト高となると共に、量産性に劣り、組み付け作業もそれだけ複雑となり、簡易な構成で精度良く必要以上の過回動を正確に阻止できるものではなかった。
【０００３】
特に近年増々機器の小型化に伴いヒンジ装置も小径化が要求され、量産性が劣り組み付けが厄介となるばかりか、この回動ストッパー機構の強度が確保できず、結果小径化が要求通り図れないなどの問題があった。
【０００４】
そこで出願人は、回動軸部が回動自在に挿通する軸受孔をベース板部に設けて軸受部とし、例えばこの回動軸部に回り止め状態にしてスライド自在に設けるカム部と、軸受部に設けるカム係合部とをバネ付勢しつつ凹凸係合させることによって所定回動位置を係合保持する回動位置保持機構を備え、この軸受孔を設けたベース板部に回動軸部に設けたストッパー部が突き当たるストッパー受部を突出形成して、軸受孔を設けたベース板部を利用して回動ストッパー機構の一部と前記回動位置保持機構の一部とを設け、これにより、部品点数が増大せず、コストアップにもならず、組み付け作業も複雑とならずに、精度良く確実に過回動を阻止することができるヒンジ装置を開発した（特願２００８−２８２３８１号，特開２００４−１９７８６２号）。
【０００５】
しかしながら、単に回動軸部の外周部にストッパー部を設け、軸受部のベース板部の板面にこのストッパー部が突き当たるストッパー受部を突出形成したのでは、ストッパー受部にストッパー部が乗り上がったり、なめ上がろうとすることがあり、特にストッパー受部の突出角部が摩耗してなめらかとなったり、突出高が低くなるとこのなめ上がるおそれが増し、強く回動操作したり回動方向に大きな負荷がかかるとこのなめ上がりによって回動軸部が傾動したり、かじってスムーズに戻り回動できなかったり様々な支障や故障の原因となりかねない。
【０００６】
このような乗り上がりやなめ上がりを防止するためにストッパー受部の突出長を大きくして突き当たり部の高さを十分に高くしようとすると、それだけ小型化の要求に応えられなくなるし、また回動クリアランスは最小限必要なため、全くこのようななめ上がりのおそれを防止しスムーズに回動させるためにはかなりの突出長が必要となるため、この突出形成が難しくなり量産性を妨げかねない。
【先行技術文献】
【特許文献】
【０００７】
【特許文献１】特願２００８−２８２３８１号公報
【特許文献２】特開２００４−１９７８６２号公報
【発明の概要】
【発明が解決しようとする課題】
【０００８】
本発明は、このような問題点も解決した回動ストッパー機構を実現したもので、小型化の要求に応えると共に簡単に製作可能な突出度が小さいままのストッパー受部とし、たとえ繰り返し使用してもまた必要な回動クリアランスを有していても、乗り上がりやなめ上がろうとすることを確実に防止して回動軸部が傾いたりすることなく、またスムーズな正逆回動が常に維持でき、量産性に優れ耐久性にも優れる画期的なヒンジ装置並びにヒンジ装置を用いた電子機器を提供することを目的としている。
【課題を解決するための手段】
【０００９】
添付図面を参照して本発明の要旨を説明する。
【００１０】
第一部材１と第二部材２とを枢着して第一部材１に対して第二部材２を相対回動させるヒンジ装置であって、前記第一部材１に連結する第一連結部３若しくは前記第二部材２に連結する第二連結部４に回動軸部５を設け、この回動軸部５が回動自在に挿通する軸受孔６を設けた軸受部７を前記第二連結部４若しくは前記第一連結部３に設け、前記回動軸部５若しくは前記回動軸部５と共回り状態に、ストッパー部８又はストッパー部８が突き当たって過回動を規制するストッパー受部９を設け、前記軸受孔６を設けた前記軸受部７若しくは前記軸受部７と共回り状態に、前記ストッパー受部９又は前記ストッパー部８を設けて、前記軸受部７の軸受孔６に対して前記回動軸部５が相対回動する際、前記ストッパー部８が前記ストッパー受部９に突き当たって過回動を規制する回動ストッパー機構を備えたヒンジ装置において、前記ストッパー部８の突き当て面11が突き当たる受面部12と、前記突き当て面11と異なる面であって回動方向に沿うストッパー部８の外面を覆う覆い部13とを有して、前記回動軸部５の傾動若しくは軸方向への過動をも規制するように前記ストッパー受部９を構成したことを特徴とするヒンジ装置に係るものである。
【００１１】
また、前記ストッパー部８のストッパー先端部10の突き当て先端面11を前記突き当て面11とし、この突き当て先端面11が突き当たる奥底部12を前記受面部12とし、前記ストッパー先端部10の前記突き当て先端面11と異なる面であって回動方向に沿うストッパー先端部10の外面を覆う前記覆い部13を前記奥底部12に連設状態に設けて、前記回動軸部５の過回動及び傾動を規制する受合部14に前記ストッパー受部９を構成したことを特徴とする請求項１記載のヒンジ装置に係るものである。
【００１２】
また、前記回動軸部５若しくは前記回動軸部５と共回り状態に前記ストッパー部８を突設し、少なくともこのストッパー部８の前記突き当て面11を先端面に設けた前記ストッパー先端部10、若しくは前記突き当て面11と異なる面であって回動方向に沿う外面を有する突出部が挿入され、前記ストッパー先端部10若しくは前記突出部の回動方向に沿う外面を覆う前記覆い部13と前記突き当て面11が突き当たる前記受面部12とを有する前記ストッパー受部９を、前記軸受部７若しくは前記軸受部７と共回り状態に設けたことを特徴とする請求項１，２のいずれか１項に記載のヒンジ装置に係るものである。
【００１３】
また、前記ストッパー部８の前記ストッパー先端部10は、前記回動方向を面方向とする回動方向面部15に接触若しくは非接触状態で沿う片側面16と、前記突き当て先端面11と、この突き当て先端面11を介して前記片側面16と対向する反対側面17とを有する形状とし、前記ストッパー受部９は、少なくとも前記突き当て先端面11が突き当たる前記奥底部12と前記反対側面17を覆う前記覆い部13とを有する前記受合部14に形成して、この覆い部13と前記回動方向面部15とで前記回動軸部５の傾動を規制しつつ前記奥底部12で過回動を規制するように前記ストッパー受部９を構成したことを特徴とする請求項２記載のヒンジ装置に係るものである。
【００１４】
また、前記軸受部７を前記軸受孔６を設けたベース板部18で構成し、このベース板部18の板面を前記回動方向面部15とし、このベース板部18に対して立ち上がる立直部を設けて前記奥底部12を設け、この奥底部12に前記回動方向面部15に対設して前記ストッパー部８のストッパー先端部10の挿入間隙を形成する前記覆い部13を設けて、前記ベース板部18に前記ストッパー受部９としての前記受合部14を設けたことを特徴とする請求項４記載のヒンジ装置に係るものである。
【００１５】
また、前記回動軸部５若しくは前記回動軸部５と共回り状態にして外周突出状態に前記ストッパー部８を設け、このストッパー部８の回動方向端部である前記ストッパー先端部10の前記片側面16が、前記軸受部７の前記ベース板部18の板面に設けた前記回動方向面部15に沿って接触若しくは非接触状態で回動するように構成すると共に、このストッパー先端部10の突き当て先端面11が突き当たる奥底部12と、このストッパー先端部10の前記片側面16と対向する反対側面17を覆う覆い部13とから成る受合部14を前記ストッパー受部９として前記ベース板部18に設けたことを特徴とする請求項４，５のいずれか１項に記載のヒンジ装置に係るものである。
【００１６】
また、正逆双方の回動方向に対して過回動を阻止する前記ストッパー受部９を対設したことを特徴とする請求項１〜６のいずれか１項に記載のヒンジ装置に係るものである。
【００１７】
また、前記一箇所に設けたストッパー部８の回動方向の両端部に前記ストッパー先端部10を設け、この左右のストッパー先端部10が挿入する前記受合部14を対設して前記ストッパー受部９を対設したことを特徴とする請求項７記載のヒンジ装置に係るものである。
【００１８】
また、前記回動軸部５にスライド自在にカム部19若しくはカム部19に凹凸係合するカム係合部20を設け、前記軸受部７に前記カム係合部20若しくは前記カム部19を設け、前記回動軸部５にこの凹凸係合を係合付勢する凹凸係合付勢部21を設けてこのカム部19とカム係合部20との凹凸係合により所定回動位置を保持する回動保持機構を備え、前記軸受部７の前記軸受孔６を設けた前記ベース板部18の前記ストッパー受部９若しくは前記ストッパー部８を設けた面と反対側面に凹凸部を設けて、前記カム係合部20若しくはカム部19を前記ベース板部18に一体形成したことを特徴とする請求項１〜８のいずれか１項に記載のヒンジ装置に係るものである。
【００１９】
また、操作部を設けた本体部に対して、ディスプレイ部を設けた回動部を回動させて回動部の向きを変更させることができるように、前記本体部と前記回動部とを回動自在に連結するヒンジ装置を有し、このヒンジ装置には、前記本体部を前記第一部材１若しくは前記第二部材２とし、前記回動部を前記第二部材２若しくは前記第一部材１とした前記請求項１〜９のいずれか１項に記載のヒンジ装置を用いたことを特徴とするヒンジ装置を用いた電子機器に係るものである。
【発明の効果】
【００２０】
本発明は上述のように構成したから、小型化の要求に応えると共に簡単に製作可能な突出度が小さいままのストッパー受部とし、たとえ繰り返し使用してもまた必要な回動クリアランスを有していても、乗り上がりやなめ上がろうとすることを確実に防止して回動軸部が傾いたりすることなく、またスムーズな回動が常に維持でき、量産性に優れ耐久性にも優れる画期的なヒンジ装置並びにヒンジ装置を用いた電子機器となる。
【００２１】
また、請求項２，３，４記載の発明においては、一層簡易な構成で確実に本発明の作用・効果を果たし、前記量産性に優れスムーズな回動が常に維持でき耐久性にも優れた一層優れたヒンジ装置となる。
【００２２】
特に請求項２記載の発明においては、ストッパー受部を、先端面を突き当て面とするストッパー先端部が挿入する受合部とし、この受合部の奥底部を突き当て面が突き当たる受面部として構成したから、乗り上がりやなめ上がりのおそれが全くない極めて優れたヒンジ装置となる。
【００２３】
また、請求項５記載の発明においては、前記軸受孔を設けるベース板部を利用してストッパー受部の回動方向面部を形成し、この回動方向面部とこれと対向する覆い部とで挿入間隙を形成して回動軸部の傾動を規制し、この奥底部で過回動を阻止するように受合部を形成してストッパー受部を構成するため、一層簡易な構成で製作でき一層量産性に優れる極めて実用性に優れたヒンジ装置となる。
【００２４】
また、請求項６記載の発明においては、更に容易に実現できる更に一層優れたヒンジ装置となる。
【００２５】
また、請求項７，８記載の発明においては、正逆双方向に対しても従来の問題が解決される前記本発明の作用・効果が発揮され一層優れたヒンジ装置となる。
【００２６】
また、請求項９記載の発明においては、回動ストッパー機構を設けたベース板部に回動保持機構の一部を設けるため更に小型化・量産化に優れ一層実用性に優れた画期的なヒンジ装置となる。
【図面の簡単な説明】
【００２７】
【図１】本実施例の概略構成斜視図である。
【図２】本実施例のヒンジ装置の組み付け説明斜視図である。
【図３】本実施例のヒンジ装置の説明分解斜視図である。
【図４】本実施例のヒンジ装置の回動軸部の説明斜視図である。
【図５】本実施例のヒンジ装置の軸受部の説明斜視図である。
【図６】本実施例のヒンジ装置の要部の一部を切り欠いた拡大説明斜視図である。
【図７】本実施例のヒンジ装置の要部の作動説明断面図である。
【図８】本実施例の起伏回動させるため起伏回動用ヒンジ装置の説明分解斜視図である。
【発明を実施するための形態】
【００２８】
好適と考える本発明の実施形態（発明をどのように実施するか）を、図面に基づいて本発明の作用を示して簡単に説明する。
【００２９】
第一部材１に対して第二部材２を回動すると、軸受部７の軸受孔６に対して回動軸部５が相対回動するが、この過回動を阻止すべくストッパー部８とストッパー受部９とからなる回動ストッパー機構を備えている。
【００３０】
即ち、軸受孔６に対して回動軸部５を回動すると、ストッパー受部９に対してストッパー部８が回動して、このストッパー部８の突き当て面11がストッパー受部９の受面部12に突き当たって過回動が阻止される。
【００３１】
この際、単に突き当て面11がストッパー受部９の受面部12に突き当たるのではなく、本発明のストッパー受部９は、この受面部12の他に、ストッパー部８の突き当て面11とは異なる面であって回動方向と沿う外面を覆う覆い部13を有する構成としたから、ストッパー部８の突き当て面11がストッパー受部９の受面部12に突き当たると共に、このストッパー部８の突き当て部分がこの受面部12を乗り上がろうとしたり回動軸部５が傾動しようとしても、回動クリアランス分は傾動できてもこれ以上は覆い部13により規制され、乗り上がることもなめ上がることも不能で傾動することも規制されることとなる。
【００３２】
例えば、突き当て面11とは別に回動方向に突出する突出部を設け、この突出部の側面を覆うように近接若しくは接触する覆い部13を設けて回動軸部５の傾動を規制して乗り上がりを防止しても良いが、ストッパー部８にストッパー先端部10を設け、このストッパー先端部10の先端面を突き当て面11とし、この突き当て面11が突き当たる受面部12としての奥底部12と、ストッパー先端部10の外面に近接若しくは接触する覆い部13とからなる受合部14を形成してこれをストッパー受部９としても良い。
【００３３】
従って、この場合は、単にストッパー先端部10の突き当て先端面11がストッパー受部９の受面部12に突き当たるのではなく、この受面部12を奥底部12とし、この奥底部12とストッパー先端部10の回動方向と平行な外面（完全に平行という意味でなく回動方向と直交する突き当て面11を除く意味である）を覆う覆い部13とを有する受合部14をストッパー受部９として構成したから、ストッパー先端部10の突き当て先端面11が奥底部12に突き当たると共に、この奥底部12を乗り上がろうとしたり回動軸部５が傾動しようとしても、回動クリアランス分は傾動できてもこれ以上は覆い部13により規制され、乗り上がることもなめ上がることも不能で傾動することも規制されることとなる。
【００３４】
また、例えば、更にこのストッパー受部９を軸受孔６を設けた軸受部７のベース板部18に設ける構成とし、この軸受部７の一部を回動方向面部15としこれに沿ってストッパー部８のストッパー先端部10を回動して行く構成とすれば、この回動方向面部15と前記受合部14の覆い部13とで形成された挿入間隙にストッパー先端部10を回動挿入しつつこの受合部14と回動方向面部15とから成る挿入受合部14の奥底部12にストッパー先端部10の突き当て先端面11を突き当てることで、前述のように傾動規制しながら確実にして精度良く過回動を規制でき、しかも簡易な構成で製作も容易で従来のように摩耗によってストッパー受部９としての突部が摩耗して低くなったり角部が丸くなって乗り上がったりなめ上がろうとするようなことが全く生じ得ない極めて優れた画期的なヒンジ装置並びにヒンジ装置を用いた電子機器となる。
【実施例】
【００３５】
本発明の具体的な実施例について図面に基づいて説明する。
【００３６】
本実施例は、図１に示すように、開閉型の携帯電話に適用した場合のもので、キー操作部を備えた本体部と、ディスプレイ部（ＬＣＤ）を備えた開閉蓋部（回動部）とが重合した重合閉塞状態から回動部を立ち上げて開放状態（使用位置）とし、更にこの立ち上げ開放した回動部を本体部（本体部に対して起伏回動ヒンジ装置24によって起伏する部材を含む）に対して１８０度反転できるように自転回動自在に枢着するヒンジ装置など本体部に対して回動部を回動して回動部の向きを回動変化、例えば１８０度回動して表裏反転できるように枢着するヒンジ装置に本発明を適用している。
【００３７】
具体的には、本実施例では、本体部に対して別の起伏回動ヒンジ装置24を用いて本体部に対してヒンジ装置を用いて回動部を起伏回動自在に枢着して回動部を重合閉塞状態から開放回動状態に開閉できる構成とし、この回動部の根本部分のベース部材を含めた本体部（本体部に付設する部分、例えば起伏回動する部分などを含む）に対して回動部を自転回動自在に枢着する構成とし、この本体部（回動部の根本部分の起伏回動する前記ベース部材を含む）を第一部材１とし、この回動部を第二部材２とし、この第一部材１に対して第二部材２を立ち起こした状態で表示向きを１８０度表裏反転自在となるように自転回動自在に枢着するヒンジ装置に本発明を適用できる実施例である。
【００３８】
以下、本実施例について具体的に説明する。
【００３９】
第二部材２に連結する第二連結部４に回動軸部５を設け、この回動軸部５が回動自在に挿通する軸受孔６を設けた軸受部７を第一部材１に連結する第一連結部３に設け、前記回動軸部５にストッパー部８を設け、前記軸受孔６を設けた前記軸受部７に前記ストッパー部８が突き当たるストッパー受部９を設けて、前記軸受部７の軸受孔６に対して前記回動軸部５が相対回動する際、前記ストッパー部８が前記ストッパー受部９に突き当たって過回動を規制する回動ストッパー機構を備えている。
【００４０】
本実施例のこの回動ストッパー機構は、前記ストッパー部８のストッパー先端部10の突き当て先端面11が突き当たる奥底部12と、前記ストッパー先端部10の突き当て先端面11と異なる面であって回動方向に平行な外面を覆う覆い部13とを有して前記回動軸部５の傾動を規制する受合部14に前記ストッパー受部９を構成している。
【００４１】
即ち、前記回動軸部５に前記ストッパー部８を突設し、このストッパー部８の前記ストッパー先端部10が挿入され、このストッパー先端部10の突き当て先端面11が突き当たる前記奥底部12と、前記ストッパー先端部10の回動方向の外面を覆う前記覆い部13とを有する前記受合部14を前記ストッパー受部９として前記軸受部７に設けている。
【００４２】
更に具体的に説明すると、本実施例のこの受合部14は、突き当て面11とは別に設けた突出部の外面を覆って規制する構成でなく、回動方向に突出するストッパー先端部10の先端面を突き当て先端面11とし、このストッパー先端部10の回動方向と平行な外面に近接若しくは接触してこれを覆う覆い部13と前記突き当て先端面11が突き当たる受面部12としての奥底部12とからなり、このストッパー先端部10が挿入されてこのストッパー先端部10の突き当て先端面11を奥底部12に突き当てつつ覆い部13で回動軸部５の傾動も規制する受合部14に構成している。
【００４３】
また、本実施例では、前記ストッパー先端部10の回動方向の上下双方の外面を覆うのではなく、一方の外面はベース板部18で近接して覆い、反対側を覆い部13で近接して覆う構成、即ち、覆い部13とベース板部18の一部とで奥底部12をストッパーの過回動受け止め部とする挿入受合部14を設け、ベース板部18の一部を用いてストッパー受部９を構成している。
【００４４】
更に説明すれば、前記ストッパー部８の前記ストッパー先端部10は、前記回動方向を面方向とするベース板部18の一部を回動方向面部15とし、これに沿う片側面16と、前記突き当て先端面11と、この突き当て先端面11を介して前記片側面16と対向する反対側面17とを有する形状とし、前記ストッパー受部９は、少なくとも前記突き当て先端面11が突き当たる前記奥底部12と前記反対側面17を覆う前記覆い部13とから成る受合部14とし、更にこの覆い部13とベース板部18の回動方向面部15とで挿入間隙が形成される前記挿入受合部14に形成して、この覆い部13と前記ベース板部18の一部の回動方向面部15とで前記回動軸部５の傾動を規制しつつ過回動を規制するように前記ストッパー受部９を構成している。
【００４５】
即ち、前記軸受部７を前記軸受孔６を設けたベース板部18で構成し、このベース板部18の板面を前記回動方向面部15とし、このベース板部18に対して立ち上がる立直部を設けて前記奥底部12を設け、この奥底部12に前記回動方向面部15に対設して前記ストッパー部８のストッパー先端部10の挿入間隙を形成する前記覆い部13を設けて、前記ベース板部18に前記ストッパー受部９としての前記受合部14としての前記挿入受合部14を設けている。
【００４６】
言い換えると、奥底部12の上下に覆い部13を対設して挿入受合部14を形成しても良いが、本実施例では、ベース板部18の板面の一部を回動方向面部15とし、これに沿うストッパー先端部10の片側面16と対向する反対側面17を覆う覆い部13を奥底部12に連設して受合部14及び回動方向面部15を含めての挿入受合部14を形成している。
【００４７】
即ち、一対の覆い部13を設けても良いが、回動方向面部15と覆い部13とでストッパー先端部10の挿入間隙を形成しこの奥底に過回動を規制する奥底部12を設けて、傾動をも規制してストッパー先端部10の乗り上がりやなめ上がりを不能としている。
【００４８】
また、この回動方向面部15（ベース板部18の一部）をストッパー先端部10の回動ガイド面としてストッパー先端部10の片側面16と接触回動するようにしても良いが、本実施例ではワッシャー22を設けてこのワッシャー22に沿って回動軸部５を回動自在に軸受孔６に嵌合し、ストッパー先端部10と片側面16とを非接触として回動抵抗が小さくなるようにしている。
【００４９】
また、正逆双方の回動方向に対して過回動を阻止するストッパー受部９を対設しているが、本実施例では、前記一箇所に設けたストッパー部８の回動方向の両端部に前記ストッパー先端部10を設け、この左右のストッパー先端部10が挿入する前記挿入受合部14を対設して前記ストッパー受部９を対設している。
【００５０】
また、前記回動軸部５にスライド自在にカム部19を設け、前記軸受部７に前記カム部19に凹凸係合するカム係合部20を設け、前記回動軸部５にこの凹凸係合を係合付勢する凹凸係合付勢部21を設けてこのカム部19とカム係合部20との凹凸係合により所定回動位置を保持する回動保持機構を備え、前記軸受部７の前記軸受孔６を設けた前記ベース板部18の前記ストッパー受部９を設けた面と反対側面に凹凸部を設けて、前記カム係合部20を前記ベース板部18に一体形成している。
【００５１】
即ち、このベース板部18のストッパー受部９を一体突出形成した面と反対側の面には凹部を一体形成し、前記回動軸部５に回り止め状態に設けて共に回動するカム部19を回動軸部５に沿ってスライド自在に設け、前記回動軸部５の相対回動によって前記ベース板部18に一体形成した前記凹部と凹凸係合する凸部をこのカム部19に設け、このカム部19を前記ベース板部18へ付勢して前記凹凸係合を付勢する皿バネを採用した凹凸係合付勢部21を備えた構成としている。
【００５２】
即ち、前記カム部19を前記回動軸部５に回り止め状態にして且つこの回動軸部５に沿って前記ベース板部18に対して接離方向にスライド自在に設け、このカム部19に設けた二箇所の前記凸部と前記ベース板部18の片側面に設けた二箇所の前記凹部とが、前記凹凸係合付勢部21により前記カム部19が前記ベース板部18へ押圧付勢されることで係合付勢されつつ、起き上がり開放した状態で自転回動させる際の０度と１８０度反転位置でこの係合付勢による吸い込み力で前記凹凸係合寸前の係合途中となることによってこの０度と１８０度反転位置（１８０度反転回動開始位置と１８０度反転回動完了位置）が係合保持されるように構成し、いずれの回動位置で凹凸係合する際にも、この凸部と凹部が完全に凹凸係合する寸前の回動位置で前記ストッパー部８が前記ストッパー受部９に突き当たって回動阻止されて、前記凹凸係合付勢部21により係合付勢状態でこの回動位置が保持されるように構成している。
【００５３】
また、この回動軸部５のストッパー部８を形成した位置より先端側の断面形状は角形とし、これに角形孔を設けたカム部19を挿通して回り止め状態にしてスライド自在に被嵌し、この回動軸部５の先端には抜け止め部材23を止着すると共に、この抜け止め部材23とカム部19との間に凹凸係合付勢部21としての皿バネを複数枚介在して回動軸部５に被嵌し、カム部19をベース板部18に押し付ける構成としている。
【００５４】
従って、この凹凸係合付勢部21によって回動軸部５及びストッパー部８は、軸受部７のベース板部18に対して位置決められて回動することになるが、この回動軸部５のストッパー部８のストッパー先端部10と、軸受部７の受合部14に形成したストッパー受部９とが回動クリアランスをもって受け合いつつ奥底部12に突き当たった際、回動軸部５に抜け方向の負荷がかかっても受合部14の覆い部13あるいはベース板部18（回動方向面部15）でこの負荷を受け止めるから、凹凸係合付勢部21（皿バネ）に直接この負荷がかからないためバネのへたりなども防止できることとなる。
【００５５】
尚、本発明は、本実施例に限られるものではなく、各構成要件の具体的構成は適宜設計し得るものである。
【符号の説明】
【００５６】
１  第一部材
２  第二部材
３  第一連結部
４  第二連結部
５  回動軸部
６  軸受孔
７  軸受部
８  ストッパー部
９  ストッパー受部
10  ストッパー先端部
11  突き当て面（突き当て先端面）
12  受面部（奥底部）
13  覆い部
14  受合部（挿入受合部）
15  回動方向面部
16  片側面
17  反対側面
18  ベース板部
19  カム部
20  カム係合部
21  凹凸係合付勢部
【図１】
2011075019.tif 000003
【図２】
2011075019.tif 000004
【図３】
2011075019.tif 000005
【図４】
2011075019.tif 000006
【図５】
2011075019.tif 000007
【図６】
2011075019.tif 000008
【図７】
2011075019.tif 000009
【図８】
2011075019.tif 000010